(57)【要約】【課題】構造の複雑化や障子のスライドに支障を来すことなく水密性や断熱性、遮音性を向上させること。【解決手段】可動下框３３の戸車３６を下枠部材１２に設けたガイドレール１００の下方ガイド面１０１に当接させることにより、開口枠１０に対して可動障子３０をスライド可能に配設した建具であって、可動障子３０に配設した操作ハンドル５０が操作された場合に可動下框３３の長手方向にスライドする状態で可動下框３３に配設した下方スライド部材４０Ｂと、可動下框３３の見込み方向に沿って移動可能に配設した引き寄せ部材７２と、下方スライド部材４０Ｂのスライドに応じて引き寄せ部材７２を可動下框３３の見込み方向に移動させる駆動機構７１，７４，７６とを備え、引き寄せ部材７２を下枠部材１２の見付け面に当接させることにより、開口枠１０に対して可動障子３０を見込み方向に移動させるようにしている。【選択図】図５
2015178699.tif 000002
【特許請求の範囲】
【請求項１】
框部材に設けた転動体を枠部材の見込み面に沿ったガイド面で転動させることにより、障子を前記框部材の長手方向に沿ってスライド可能に配設した建具であって、
前記框部材の長手方向にスライドする状態で前記框部材に配設したスライド部材と、
前記障子に配設し、操作した場合に前記スライド部材を前記框部材に対してスライドさせる操作ハンドルと、
前記框部材の見込み方向に沿って移動可能に配設した引き寄せ部材と、
前記スライド部材のスライドに応じて前記引き寄せ部材を前記框部材の見込み方向に移動させる駆動機構と
を備え、前記引き寄せ部材を前記枠部材の見付け面に当接させることにより、開口枠に対して前記障子を見込み方向に移動させることを特徴とする建具。
【請求項２】
前記障子には、前記框部材に対して直交する方向に配設した直交框部材が設けてあり、かつ前記直交框部材の長手方向にスライドするとともに、前記スライド部材に連動するように直交スライド部材が配設してあり、
前記直交框部材と、前記障子を閉じた際に前記直交框部材の見込み面に対向して配置される直交枠部材の見込み面との間には、前記直交スライド部材のスライドに応じて前記直交框部材を前記框部材と同じ方向に移動させる直交引き寄せ機構を介在させたことを特徴とする請求項１に記載の建具。
【請求項３】
前記直交引き寄せ機構は、
前記直交枠部材から前記直交框部材の見込み面に向けて突設し、突出端部の外径が基部の外径よりも大きな寸法を有するように構成した係合ピンと、
前記障子を閉じた場合に前記係合ピンの突出端部が通過した後に前記基部に対向配置され、前記直交スライド部材がスライドした場合に前記基部に当接することにより前記直交枠部材及び前記直交框部材を互いに見込み方向に沿って近接するように移動させる係合傾斜面と、
前記直交枠部材及び前記直交框部材が互いに近接する方向に移動した場合に前記係合ピンの突出端部に対向して配置され、前記突出端部に係合することにより前記障子の開き方向へのスライドを規制する係合部と
を備えたことを特徴とする請求項２に記載の建具。
【請求項４】
前記障子は、下框部材に前記転動体を備える一方、上框部材の見込み面に上方ガイド部材を備え、さらに前記上框部材の長手方向に沿ってスライド可能、かつ前記スライド部材に連動するように上方スライド部材を備えたものであり、
前記上框部材に対向する枠部材には、見付け方向に沿った一対の上方ガイド面を有する上方ガイド溝を形成し、前記上方ガイド部材をそれぞれの上方ガイド面に当接させた状態で前記障子を前記上框部材の長手方向に沿ってスライド可能に配設してあり、
さらに前記上框部材に対して前記上方ガイド部材を見込み方向に沿って移動可能に支持させるとともに、前記上框部材と前記上方ガイド部材との間に、前記上方スライド部材のスライドに応じて前記上方ガイド部材を前記上框部材に対して見込み方向に移動させるシフト機構を介在させたことを特徴とする請求項１に記載の建具。
【発明の詳細な説明】
【技術分野】
【０００１】
本発明は、開口枠に対して障子がスライドするように構成された建具に関するものである。
【背景技術】
【０００２】
開口枠に対して障子がスライドするように構成された建具では、水密性や断熱性、遮音性を向上させるため、閉まる直前に障子を開口枠の見込み面に近接するように斜めにスライドさせ、障子の框部材を開口枠に設けたタイト材に押圧させるようにしたものが提供されている。この種の建具では、障子が閉まる以前の状態にある場合、障子の框部材がタイト材から離隔し、あるいはごく軽く接触する程度となる。従って、障子をスライドさせる際の操作力を増大させることなく、障子を閉めた際の水密性や断熱性、遮音性を高めることが可能となる。しかしながら、障子を斜めにスライドさせてタイト材に漸次押圧させるには、障子とタイト材とが互いに摺接することになるため、この間においては操作力が増大するばかりでなく、タイト材の耐久性を考慮した場合、必ずしも好ましいとはいえない。
【０００３】
このため従来では、戸車部分と障子の下部フレーム部分との間に傾斜案内機構を設け、下部フレーム部分に対して戸車部分をレールに平行する方向に沿って相対的にスライドさせた場合に傾斜案内機構の作用により、下部フレーム部分をレールの直交する方向に移動させて開口枠のタイト材に押圧させるようにしたものが提供されている（例えば、特許文献１参照）。
【先行技術文献】
【特許文献】
【０００４】
【特許文献１】特表２００９−５２２４７０号公報
【発明の概要】
【発明が解決しようとする課題】
【０００５】
しかしながら、特許文献１に記載のものでは、戸車部分と下部フレーム部分との間を相対移動できるように障子を構成しなければならず、構造がきわめて複雑となる。しかも、戸車部分及び下部フレーム部分は、障子の荷重を支える部分である。従って、これら戸車部分と下部フレーム部分とを相対移動させるには、大きな操作力を加える必要があり、操作性の点でも好ましいとはいえない。さらに、戸車部分に対して下部フレーム部分をレールに直交する方向に移動させる際には、戸車部分の車軸に沿って大きな反力が加えられることになるため、車軸にガタ付きが生じる等、障子の円滑なスライドに支障を来すおそれもある。
【０００６】
本発明は、上記実情に鑑みて、構造の複雑化や障子のスライドに支障を来すことなく水密性や断熱性、遮音性を向上させることのできる建具を提供することを目的とする。
【課題を解決するための手段】
【０００７】
上記目的を達成するため、本発明に係る建具は、框部材に設けた転動体を枠部材の見込み面に沿ったガイド面で転動させることにより、障子を前記框部材の長手方向に沿ってスライド可能に配設した建具であって、前記框部材の長手方向にスライドする状態で前記框部材に配設したスライド部材と、前記障子に配設し、操作した場合に前記スライド部材を前記框部材に対してスライドさせる操作ハンドルと、前記框部材の見込み方向に沿って移動可能に配設した引き寄せ部材と、前記スライド部材のスライドに応じて前記引き寄せ部材を前記框部材の見込み方向に移動させる駆動機構とを備え、前記引き寄せ部材を前記枠部材の見付け面に当接させることにより、開口枠に対して前記障子を見込み方向に移動させることを特徴とする建具。
【０００８】
この発明によれば、操作ハンドルの操作によってスライド部材をスライドさせれば、引き寄せ部材が枠部材の見付け面に当接することで、開口枠に対して障子がガイド面において見込み方向に移動することになり、框部材と転動体との間を相対移動できるように構成することなく、水密性や断熱性、遮音性の向上を図ることが可能となる。
【０００９】
また本発明は、上述した建具において、前記障子には、前記框部材に対して直交する方向に配設した直交框部材が設けてあり、かつ前記直交框部材の長手方向にスライドするとともに、前記スライド部材に連動するように直交スライド部材が配設してあり、前記直交框部材と、前記障子を閉じた際に前記直交框部材の見込み面に対向して配置される直交枠部材の見込み面との間には、前記直交スライド部材のスライドに応じて前記直交框部材を前記框部材と同じ方向に移動させる直交引き寄せ機構を介在させたことを特徴とする。
【００１０】
この発明によれば、直交スライド部材をスライドさせた場合に、直交框部材と直交枠部材との間の直交引き寄せ機構も作用して障子が見込み方向に移動することになる。
【００１１】
また本発明は、上述した建具において、前記直交引き寄せ機構は、前記直交枠部材から前記直交框部材の見込み面に向けて突設し、突出端部の外径が基部の外径よりも大きな寸法を有するように構成した係合ピンと、前記障子を閉じた場合に前記係合ピンの突出端部が通過した後に前記基部に対向配置され、前記直交スライド部材がスライドした場合に前記基部に当接することにより前記直交枠部材及び前記直交框部材を互いに見込み方向に沿って近接するように移動させる係合傾斜面と、前記直交枠部材及び前記直交框部材が互いに近接する方向に移動した場合に前記係合ピンの突出端部に対向して配置され、前記突出端部に係合することにより前記障子の開き方向へのスライドを規制する係合部とを備えたことを特徴とする。
【００１２】
この発明によれば、開口枠に対して障子を見込み方向に移動させると同時に、障子の開き方向の移動を規制することが可能となる。
【００１３】
また本発明は、上述した建具において、前記障子は、下框部材に前記転動体を備える一方、上框部材の見込み面に上方ガイド部材を備え、さらに前記上框部材の長手方向に沿ってスライド可能、かつ前記スライド部材に連動するように上方スライド部材を備えたものであり、前記上框部材に対向する枠部材には、見付け方向に沿った一対の上方ガイド面を有する上方ガイド溝を形成し、前記上方ガイド部材をそれぞれの上方ガイド面に当接させた状態で前記障子を前記上框部材の長手方向に沿ってスライド可能に配設してあり、さらに前記上框部材に対して前記上方ガイド部材を見込み方向に沿って移動可能に支持させるとともに、前記上框部材と前記上方ガイド部材との間に、前記上方スライド部材のスライドに応じて前記上方ガイド部材を前記上框部材に対して見込み方向に移動させるシフト機構を介在させたことを特徴とする。
【００１４】
この発明によれば、上方スライド部材をスライドさせることで、開口枠と障子との複数の箇所を同時に引き寄せて障子を見込み方向に沿って移動させることができる。
【発明の効果】
【００１５】
本発明によれば、操作ハンドルの操作によってスライド部材をスライドさせれば、引き寄せ部材が枠部材の見付け面に当接することで、開口枠に対して障子全体がガイド面において見込み方向に移動することになる。従って、框部材と転動体との間を相対移動できるように構成する必要はなく、構造の複雑化が招来されたり、転動体の支持部分に大きな反力が加えられることなく、水密性や断熱性、遮音性を向上させることが可能となる。
【図面の簡単な説明】
【００１６】
【図１】図１は、本発明の実施の形態である建具を室内側から見た斜視図である。
【図２】図２は、図１に示した建具において障子を閉じた際の横断面図である。
【図３】図３は、図１に示した建具において障子を少し開いた際の横断面図である。
【図４】図４は、図１に示した建具において障子を閉じた状態で室外側に移動させた状態の横断面図である。
【図５】図５は、図１に示した建具においてスライドする障子の部分の縦断面図である。
【図６】図６は、図１に示した建具においてスライドする障子を室外側に移動させた状態の縦断面図である。
【図７】図７は、図１に示した建具においてスライドしない障子の部分の縦断面図である。
【図８】図８は、図１に示した建具の障子に適用する操作ハンドルの拡大断面図である。
【図９】図９は、図１に示した建具の障子に適用する上方ガイド部材の拡大平面図である。
【図１０】図１０は、図９に示した上方ガイド部材の断面図である。
【図１１】図１１は、図９に示した上方ガイド部材が突出姿勢となった際の斜視図である。
【図１２】図１２は、図９に示した上方ガイド部材が退避姿勢となった際の斜視図である。
【図１３】図１３は、図９に示した上方ガイド部材が退避姿勢となった際の平面図である。
【図１４】図１４は、図９に示した上方ガイド部材が退避姿勢となった際の要部縦断面図である。
【図１５】図１５は、図９に示した上方ガイド部材が突出姿勢の状態で障子に対して室外側に移動された状態の平面図である。
【図１６】図１６は、図９に示した上方ガイド部材が突出姿勢の状態で障子に対して室内側に移動された状態の平面図である。
【図１７】図１７は、図１に示した建具の障子を下方から見た透視斜視図である。
【図１８】図１８は、図１に示した建具に適用する引き寄せ機構を下方から見た斜視図である。
【図１９】図１９は、図１８に示した引き寄せ機構が動作した状態を下方から見た斜視図である。
【図２０】図２０は、図１８に示した引き寄せ機構の動作を順に示すための平面図である。
【図２１】図２１は、図１に示した建具に適用する戸尻側の直交引き寄せ機構の要部拡大断面図である。
【図２２】図２２は、図２１に示した直交引き寄せ機構が動作した状態の要部拡大断面図である。
【図２３】図２３は、図１に示した建具に適用する戸先側の直交引き寄せ機構の要部拡大図である。
【図２４】図２４は、図２３に示した直交引き寄せ機構が動作した状態の要部拡大図である。
【発明を実施するための形態】
【００１７】
以下、添付図面を参照しながら本発明に係る建具の好適な実施の形態について詳細に説明する。
【００１８】
図１は、本発明の実施の形態である建具を示したものである。ここで例示する建具は、図１〜図７に示すように、開口枠１０に固定した固定障子２０と、開口枠１０に対して左右にスライドするように配設した可動障子３０とを備えた片引き窓と称されるものである。開口枠１０は、上枠部材（枠部材）１１、下枠部材１２及び一対の縦枠部材（直交枠部材）１３，１４を四周枠組みすることによって構成したものである。本実施の形態では、特に、四周の枠部材１１，１２，１３，１４をそれぞれ木材によって構成した開口枠１０を適用している。固定障子２０は、外形が矩形状を成す固定複層面材２１のそれぞれの周縁部に固定上框２２、固定下框２３、固定戸先框２４、固定戸尻框２５（直交枠部材）を接合することによって構成したものである。可動障子３０は、外形が矩形状を成す可動複層面材３１のそれぞれの周縁部に可動上框（上框部材）３２、可動下框（下框部材）３３、可動戸先框（直交框部材）３４、可動戸尻框（直交框部材）３５を接合することによって構成したものである。図１からも明らかなように、固定障子２０は、可動障子３０よりも左右の幅が大きく構成してあり、室内側から見た場合に開口枠１０の左側となる部位に配設してある。可動障子３０は、開口枠１０と固定障子２０とによって構成される開口枠１０の内部開口１５を開閉するように固定障子２０よりも室内側となる部位に配設してある。尚、以下において開口枠１０の縦枠部材を区別する場合には、図１において左側に位置する縦枠部材を「固定縦枠１３」と称し、右側に位置する縦枠部材を「戸先縦枠１４（直交枠部材）」と称することとする。
【００１９】
（固定障子２０の構成）
図２及び図７に示すように、固定障子２０の固定複層面材２１は、３枚の固定ガラス板２１１，２１２，２１３を接合することによって構成したものである。３枚の固定ガラス板２１１，２１２，２１３は、それぞれ矩形状を成すもので、２枚が同じ外形寸法を有し、残りの１枚が他の２枚に対して縦横の寸法がそれぞれ小さくなるように構成してある。以下においては便宜上、外形寸法の大きい固定ガラス板を「第１固定ガラス板２１１」及び「第２固定ガラス板２１２」と称し、外形寸法の小さい固定ガラス板を「第３固定ガラス板２１３」と称することとする。
【００２０】
第１固定ガラス板２１１及び第２固定ガラス板２１２は、それぞれの周縁部にスペーサ部材２１４を介在させた状態で相互に接合してあり、互いの間に断熱空間２１５を構成している。第３固定ガラス板２１３は、それぞれの周縁部にスペーサ部材２１６を介在させた状態で第１固定ガラス板２１１の表面に接合してあり、第１固定ガラス板２１１との間に断熱空間２１７を構成している。図からも明らかなように、第１固定ガラス板２１１は、第３固定ガラス板２１３に対して戸尻となる端面（図２において右側の端面）が互いに同一の平面上に位置し、かつ戸先（図２において左側）、上縁及び下縁となる他の端面については第３固定ガラス板２１３の端面からそれぞれ突出した状態にある。
【００２１】
固定複層面材２１の戸先、上縁及び下縁となる周縁部には、カバー部材２１８及びエンドカバー２１９が設けてある。カバー部材２１８は、第１固定ガラス板２１１の表面から第１固定ガラス板２１１の端面及び第２固定ガラス板２１２の端面にわたる部分を覆うものである。本実施の形態では、アルミニウム合金等の金属によって成形したカバー部材２１８を適用し、第１固定ガラス板２１１の表面に接着することで、第１固定ガラス板２１１の端面及び第２固定ガラス板２１２の端面を覆うようにしている。カバー部材２１８と第１固定ガラス板２１１の端面及び第２固定ガラス板２１２の端面との間には、それぞれシール材２２０が充填してある。エンドカバー２１９は、第２固定ガラス板２１２の表面からカバー部材２１８を介して第１固定ガラス板２１１の端面及び第２固定ガラス板２１２の端面にわたる部分を覆うものである。エンドカバー２１９についてもアルミニウム合金等の金属によって成形したものを適用し、カバー部材２１８に接着することで、固定複層面材２１の端部に配設してある。
【００２２】
上述した固定複層面材２１に対して、固定上框２２、固定下框２３及び固定戸先框２４は、それぞれ第３固定ガラス板２１３の周縁部表面及び第３固定ガラス板２１３から突出する第１固定ガラス板２１１の表面を覆うように設けてあり、固定戸尻框２５は、第３固定ガラス板２１３の表面を覆うように設けてある。これらの固定框２２，２３，２４，２５は、木材もしくは樹脂材によって成形したものである。
【００２３】
固定上框２２、固定下框２３及び固定戸先框２４については、互いに見込み方向に沿った寸法がほぼ同じとなるように構成してあり、上述したカバー部材２１８の一部を覆う状態で第１固定ガラス板２１１の表面に接合してある。固定上框２２、固定下框２３及び固定戸先框２４のそれぞれは、外周側の端面が第１固定ガラス板２１１の端面よりも退行する位置に接合してある。換言すれば、第１固定ガラス板２１１は、固定上框２２、固定下框２３及び固定戸先框２４のそれぞれの端面よりも突出しており、固定上框２２、固定下框２３及び固定戸先框２４の一方の見付け面２２ａ，２３ａ，２４ａを完全に覆った状態にある。
【００２４】
一方、固定戸尻框２５は、見込み方向に沿った寸法が内周側よりも外周側が大きくなるように段状に構成してあり、互いの間に固定側対向面２５ａを構成している。固定戸尻框２５の内周側となる部分の見込み方向に沿った寸法は、第３固定ガラス板２１３からの突出量が他の固定框２２，２３，２４とほぼ同じとなるように構成してある。固定戸尻框２５の外周側端部には、召合わせカバー部材２２１が設けてある。召合わせカバー部材２２１は、固定戸尻框２５の端面及び３枚の固定ガラス板２１１，２１２，２１３の端面を覆うもので、アルミニウム合金等の金属によって成形してある。
【００２５】
上記のように構成した固定障子２０は、第２固定ガラス板２１２が室外側に配置される状態で固定戸先框２４、固定上框２２及び固定下框２３を介して開口枠１０に取り付けてある。より具体的には、戸先縦枠１４を除くそれぞれの枠部材１１，１２，１３において固定障子２０を取り付ける部分の見込み面にアルミニウム合金等の金属によって成形した支持枠部材１６が設けてあり、個々の支持枠部材１６に対して対応する枠部材１１，１２，１３を固定することで固定障子２０が開口枠１０に取り付けてある。支持枠部材１６と固定障子２０との間には、それぞれの支持枠部材１６に設けた固定タイト材１７が固定障子２０のカバー部材２１８に圧接することで所望の気密性及び水密性が確保してある。
【００２６】
（可動障子３０の構成）
図２及び図５に示すように、可動障子３０の可動複層面材３１は、固定障子２０の固定複層面材２１と同様、３枚の可動ガラス板３１１，３１２，３１３を接合することによって構成したものである。３枚の可動ガラス板３１１，３１２，３１３は、それぞれ矩形状を成すもので、２枚が同じ外形寸法を有し、残りの１枚が他の２枚に対して縦横の寸法がそれぞれ小さくなるように構成してある。以下においては便宜上、外形寸法の大きい可動ガラス板を「第１可動ガラス板３１１」及び「第２可動ガラス板３１２」と称し、外形寸法の小さい可動ガラス板を「第３可動ガラス板３１３」と称することとする。
【００２７】
可動複層面材３１は、固定障子２０の固定複層面材２１とは左右の幅が異なるものの、第１可動ガラス板３１１と第２可動ガラス板３１２とが同じ外形寸法を有し、スペーサ部材３１４を介して互いに接合することにより相互間に断熱空間３１５を構成している点、第３可動ガラス板３１３が第１可動ガラス板３１１よりも縦横の寸法が小さく、スペーサ部材３１６を介して互いに接合することにより相互間に断熱空間３１７を構成している点、第１可動ガラス板３１１は第３可動ガラス板３１３に対して戸尻となる端面（図２において右側の端面）が互いに同一の平面上に位置し、かつ戸先（図２において左側）、上縁及び下縁となる他の端面については第３可動ガラス板３１３の端面からそれぞれ突出した状態にある点はいずれも固定障子２０の固定複層面材２１と共通である。
【００２８】
可動複層面材３１の戸先、上縁及び下縁となる周縁部には、カバー部材３１８が設けてある。カバー部材３１８は、アルミニウム合金等の金属によって成形したもので、第１可動ガラス板３１１の表面から第１可動ガラス板３１１の端面及び第２可動ガラス板３１２の端面にわたる部分を覆うように、第１可動ガラス板３１１の表面に接着してある。カバー部材３１８と第１可動ガラス板３１１の端面及び第２可動ガラス板３１２の端面との間には、それぞれシール材３２０が充填してある。
【００２９】
上述した可動複層面材３１に対して、可動上框３２、可動下框３３及び可動戸先框３４は、それぞれ第３可動ガラス板３１３の周縁部表面及び第３可動ガラス板３１３から突出する第１可動ガラス板３１１の表面を覆うように設けてあり、可動戸尻框３５は、第３可動ガラス板３１３の周縁部表面及び３枚の可動ガラス板３１１，３１２，３１３の端面を覆うように設けてある。これらの可動框３２，３３，３４，３５は、固定框２２，２３，２４，２５と同様、木材もしくは樹脂材によって成形したものである。
【００３０】
可動上框３２、可動下框３３及び可動戸先框３４については、見込み方向に沿った寸法がほぼ同じとなるように構成してあり、上述したカバー部材３１８の一部を覆う状態で第１可動ガラス板３１１の表面に接合してある。可動上框３２、可動下框３３及び可動戸先框３４のそれぞれは、外周側の端面が第１可動ガラス板３１１の端面よりも退行する位置に接合してある。換言すれば、第１可動ガラス板３１１は、可動上框３２、可動下框３３及び可動戸先框３４のそれぞれの端面よりも突出しており、可動上框３２、可動下框３３及び可動戸先框３４の一方の見付け面３２ａ，３３ａ，３４ａを完全に覆った状態にある。
【００３１】
一方、可動戸尻框３５において第３可動ガラス板３１３の周縁部表面を覆う部分は、第３可動ガラス板３１３からの突出量が他の可動框３２，３３，３４とほぼ同じとなるように構成してある。可動戸尻框３５において３枚の可動ガラス板３１１，３１２，３１３の端面を覆う部分は、第２可動ガラス板３１２側の見付け面が段状となるように構成してある。すなわち、可動戸尻框３５において第２可動ガラス板３１２側に位置する見付け面は、内周側部分が第２可動ガラス板３１２の表面とほぼ同じ平面上に位置し、かつ外周側部分が第２可動ガラス板３１２の表面よりも突出するように構成してあり、互いの間に可動側対向面３５ａを構成している。
【００３２】
図５及び図１７に示すように、この可動障子３０には、可動下框３３に複数の戸車（転動体）３６が設けてある。戸車３６は、それぞれの下部周面が可動下框３３の下面から下方に突出するように配設したもので、水平方向に沿ったガイド面に載置させた場合に適宜転動することにより可動障子３０を可動下框３３の長手方向に沿ってスライドさせることが可能である。図からも明らかなように、本実施の形態では、戸車３６の下部周面が第１可動ガラス板３１１の端面及び第２可動ガラス板３１２の端面よりも上方に位置するように構成してある。
【００３３】
（可動障子３０に設けたスライド部材４０及び操作ハンドル５０の構成）
図２、図５及び図８に示すように、可動障子３０には、可動上框３２、可動下框３３、可動戸先框３４及び可動戸尻框３５のそれぞれにスライド溝３２ｂ，３３ｂ，３４ｂ，３５ｂが形成してあるとともに、可動戸尻框３５に操作ハンドル５０が設けてある。
【００３４】
スライド溝３２ｂ，３３ｂ，３４ｂ，３５ｂは、各可動框３２，３３，３４，３５の長手方向に沿って形成した空所である。可動上框３２、可動下框３３及び可動戸先框３４には、それぞれの見込み面に開口し、かつ見込み方向に沿った位置が互いに共通となるようにスライド溝３２ｂ，３３ｂ，３４ｂが形成してある。本実施の形態では、それぞれの一側面に第１可動ガラス板３１１に設けたカバー部材３１８が露出するようにスライド溝３２ｂ，３３ｂ，３４ｂが形成してある。これに対して可動戸尻框３５には、３枚の可動ガラス板３１１，３１２，３１３の端面よりも外周側で、かつ可動側対向面３５ａよりも内周側となる部位に、上下両端面に開口するようにスライド溝３５ｂが形成してある。このスライド溝３５ｂの見込み方向に沿った位置は、他の可動框３２，３３，３４に形成したスライド溝３２ｂ，３３ｂ，３４ｂと共通である。
【００３５】
それぞれのスライド溝３２ｂ，３３ｂ，３４ｂ，３５ｂには、スライド部材４０が配設してある。スライド部材４０は、各可動框３２，３３，３４，３５の長手方向に沿ってのみスライド可能となるようにスライド溝３２ｂ，３３ｂ，３４ｂ，３５ｂに収容した長尺部材である。可動上框３２、可動戸先框３４及び可動戸尻框３５に配設したスライド部材４０は、幅の狭い平板状を成す基部４１と、基部４１の両側縁部から直角となる方向に突出した一対のリブ部４２とを一体に成形したもので、基部４１が各可動框３２，３３，３４の見込み面に対してほぼ平行となる状態でスライド溝３２ｂ，３３ｂ，３４ｂに収容してある。これに対して可動下框３３に適用するスライド部材４０は、平板状を成すもので、可動下框３３の下面に対してほぼ直交する状態でスライド溝３５ｂに収容してある。可動上框３２、可動下框３３及び可動戸先框３４については、それぞれのスライド溝３２ｂ，３３ｂ，３４ｂに露出するカバー部材３１８がスライド部材４０に当接しており、第１可動ガラス板３１１に近接する方向へのスライド部材４０の移動が規制された状態にある。図には明示していないが、それぞれの可動框３２，３３，３４，３５に配設したスライド部材４０は、互いに連動してスライドするように、それぞれの端部の間が可撓性を有した動力伝達部材によって連結してある。尚、以下においてスライド部材４０を区別する場合には、可動上框３２のスライド部材を「上方スライド部材（シフト機構）４０Ａ」、可動下框３３のスライド部材を「下方スライド部材（スライド部材）４０Ｂ」、可動戸先框３４のスライド部材を「戸先スライド部材（直交スライド部材：係合部）４０Ｃ」、可動戸尻框３５のスライド部材を「戸尻スライド部材（直交スライド部材）４０Ｄ」と称することとする。
【００３６】
操作ハンドル５０は、図８に示すように、可動戸尻框３５の戸尻面に設けた収容凹部３５ｃに支持軸５１を介して回転可能に配設してあり、図８中の実線で示すように、可動戸尻框３５の収容凹部３５ｃに収容された状態から、図１や図８中の二点鎖線で示すように、可動戸尻框３５の収容凹部３５ｃから突出した状態まで移動することが可能である。この操作ハンドル５０は、可動戸尻框３５に設けた戸尻スライド部材４０Ｄに連係してあり、支持軸５１の軸心回りに回転するように操作することで、戸尻スライド部材４０Ｄを介してすべてのスライド部材４０をスライドさせることが可能である。本実施の形態では、操作ハンドル５０を収容凹部３５ｃに収容させる方向に操作した場合、戸尻スライド部材４０Ｄが上方に向かってスライドし、これに伴って上方スライド部材４０Ａが戸先に向かってスライドし、戸先スライド部材４０Ｃが下方に向かってスライドし、下方スライド部材４０Ｂが戸尻に向かってスライドするように構成してある。逆に、操作ハンドル５０を収容凹部３５ｃから突出する方向に操作した場合には、戸尻スライド部材４０Ｄが下方に向かってスライドし、これに伴って上方スライド部材４０Ａが戸尻に向かってスライドし、戸先スライド部材４０Ｃが上方に向かってスライドし、下方スライド部材４０Ｂが戸先に向かってスライドすることになる。
【００３７】
図には明示していないが、操作ハンドル５０と可動戸尻框３５との間には、操作ハンドル５０を収容凹部３５ｃから突出した状態に付勢する付勢手段が介在させてある。付勢手段（図示せず）の付勢力に抗して操作ハンドル５０を収容凹部３５ｃに収容させた場合には、収容凹部３５ｃに設けたラッチ５２に係合させることにより、操作ハンドル５０を収容凹部３５ｃに収容した状態に配置することが可能である。ラッチ５２を解除した場合には、付勢手段（図示せず）の付勢力により、操作ハンドル５０が収容凹部３５ｃから突出して操作可能状態となる。
【００３８】
（可動障子３０に設けた上方ガイド部材６０及びシフト機構の構成）
図５、図９、図１０に示すように、可動障子３０には、可動上框３２において長手方向のほぼ中間となる部位に上方ガイド部材６０が設けてある。上方ガイド部材６０は、ガイドアーム６１と、ガイドアーム６１の両端部に配設したガイドローラ６２とを備えて構成したものである。ガイドアーム６１は、両端部が可動障子３０の見付け面からそれぞれ突出することのできる長さを有した幅の狭い板状部材である。このガイドアーム６１は、長手方向のほぼ中間となる位置に支持ピン（シフト機構）６３を有しており、支持ピン６３を介して支持アーム６４の先端部に旋回可能に支持させてある。支持アーム６４は、可動上框３２に形成したスライド溝３２ｂにおいて上方スライド部材４０Ａの基部４１と一対のリブ部４２とによって囲まれる空間に配設した長尺の薄板部材であり、基端部を介して取付ネジ６５により可動上框３２の上面に支持させてある。この支持アーム６４は、一対のリブ部４２の相互間隔よりも小さい幅に形成してあり、取付ネジ６５を軸心として先端部が一対のリブ部４２の間で移動可能である。
【００３９】
上述したガイドアーム６１は、上方スライド部材４０Ａの基部４１に形成した上部カム孔（シフト機構）４３に支持ピン６３を挿通させることにより、上方スライド部材４０Ａの外部に露出した状態で支持アーム６４の先端部に支持させてある。上部カム孔４３は、上方スライド部材４０Ａの長手方向に沿った２つの位置決め孔部４３ａ，４３ｂと、これら位置決め孔部４３ａ，４３ｂの間を連絡させる連係孔部４３ｃとを有したものである。上部カム孔４３の２つの位置決め孔部４３ａ，４３ｂ及び連係孔部４３ｃは、支持ピン６３の外径にほぼ等しい幅に形成してある。図９に示すように、２つの位置決め孔部４３ａ，４３ｂは、互いに可動障子３０の見込み方向にずれた位置に形成したものであり、連係孔部４３ｃは、これらの端部間を連絡するように上方スライド部材４０Ａの長手方向に対して傾斜するように形成してある。支持ピン６３を介して支持アーム６４の先端部に支持させたガイドアーム６１は、上方スライド部材４０Ａが可動上框３２の長手方向に沿ってスライドした場合、相対的に上部カム孔４３に対する支持ピン６３の位置が２つの位置決め孔部４３ａ，４３ｂで変更されるため、可動複層面材３１の第２可動ガラス板３１２に寄った位置と、第３可動ガラス板３１３に寄った位置とに移動されることになる。本実施の形態では、図９に示すように、上方スライド部材４０Ａの戸先側に位置する位置決め孔部４３ａが戸尻側に位置する位置決め孔部４３ｂよりも可動複層面材３１の第２可動ガラス板３１２に寄って位置しており、上方スライド部材４０Ａが戸先に向かって移動した場合にガイドアーム６１が可動障子３０に対して可動複層面材３１の第３可動ガラス板３１３に寄って移動されるように上部カム孔４３が形成してある。
【００４０】
ガイドローラ６２は、周面がガイドアーム６１から突出する状態でローラ軸６２ａを介してガイドアーム６１の両端部に配設したものである。それぞれのガイドローラ６２は、支持ピン６３と平行となるローラ軸６２ａを中心として回転することが可能である。
【００４１】
（上方ガイド部材６０を突出姿勢と退避姿勢とに変更するための構成）
ガイドアーム６１の一方の端部には、規制アーム（規制部材の第１アーム）６６の一端部が連係してある。規制アーム６６は、図１１及び図１２に示すように、基端部を介して操作アーム（規制部材の第２アーム）６７の先端部に回転可能に支持させたものである。操作アーム６７は、可動上框３２の上面に配設した長尺部材であり、可動上框３２の長手方向に沿ってのみスライドできるように２つのスライドガイド６８を介して可動上框３２の上面に支持させてある。この操作アーム６７は、戸先側にスライドさせた場合に基端部が可動戸先框３４の戸先面から突出することのできる長さに形成してある。
【００４２】
上述の規制アーム６６は、図９及び図１１に示すように、操作アーム６７を戸尻に向けてスライドさせた場合、ガイドアーム６１が上方スライド部材４０Ａに対してほぼ直交し、ガイドアーム６１の両端部がそれぞれ可動障子３０の見付け面から突出した姿勢（突出姿勢）となるようにガイドアーム６１を旋回させるように機能する。この状態においては、操作アーム６７の基端面が可動戸先框３４の戸先面とほぼ一致した状態となり、操作アーム６７の基端部を可動戸先框３４の上端部に設けた係止部材（規制部材）６９に係止させれば、ガイドアーム６１の両端部が可動障子３０の見付け面から突出した状態に維持することが可能となる。
【００４３】
一方、操作アーム６７の基端部と係止部材６９との係止状態を解除し、図１２及び図１３に示すように、操作アーム６７を戸先に向けてスライドさせた場合には、ガイドアーム６１と規制アーム６６との連結部が操作アーム６７に引き寄せられるようにガイドアーム６１が旋回することになる。図１２に示すように、基端部が可動戸先框３４の戸先面から突出させるまで操作アーム６７をスライドさせた場合には、図１３及び図１４に示すように、ガイドアーム６１及び一対のガイドローラ６２がいずれも可動障子３０の見込み方向に沿った幅内に配置された姿勢（退避姿勢）となる。
【００４４】
（引き寄せ機構７０の構成）
図１７〜図１９に示すように、可動障子３０の可動下框３３には、引き寄せ機構７０が設けてある。引き寄せ機構７０は、ベースブロック（駆動機構）７１と引き寄せ部材７２とを備えて構成したものである。ベースブロック７１は、可動下框３３の下面に形成した収容切欠３３ｃの内部に配設してある。収容切欠３３ｃは、可動下框３３に形成したスライド溝３３ｂに連通するように形成したものである。このベースブロック７１は、下方スライド部材４０Ｂに連結してあるとともに、両端部に形成した長孔７１ａを介して可動下框３３にそれぞれスライドネジ７３を螺合させることにより、可動下框３３の長手方向に沿ってスライド可能に支持させてある。引き寄せ部材７２は、ベースブロック７１の下面に配設した平板状部材であり、可動下框３３の戸尻側に螺合させた一方のスライドネジ７３により、基端部を介してベースブロック７１と共締めしてある。この引き寄せ部材７２には、下部カム孔（駆動機構）７４及び当接片７５が設けてある。下部カム孔７４は、図２０に示すように、基端側から先端側に向けてほぼ直線状に延在した後、漸次下方スライド部材４０Ｂから離隔する方向に傾斜し、さらに先端側に向けてほぼ直線状に延在している。この下部カム孔７４には、カムピン（駆動機構）７６が貫通している。カムピン７６は、ベースブロック７１に設けた円柱状部材であり、下部カム孔７４にスライド可能に嵌合するとのできる外径に形成してある。当接片７５は、図５及び図６に示すように、引き寄せ部材７２の先端部において第１可動ガラス板３１１に近接する縁部から下方に向けて突出した平板部分である。同図からも明らかなように、この当接片７５は、突出した下端面の位置が戸車３６の下部周面よりもわずかに下方に突出するように形成してある。
【００４５】
図１８及び図２０の（ａ）に示すように、引き寄せ部材７２は、ベースブロック７１が最も戸先側に位置している場合、下部カム孔７４の先端側にカムピン７６が位置し、当接片７５が第１可動ガラス板３１１のカバー部材３１８に当接した状態に配置される。この状態からベースブロック７１が戸尻に向けてスライドすると、図１９及び図２０の（ｂ）〜図２０の（ｄ）に示すように、下部カム孔７４に対してカムピン７６が漸次基端部側に移動するため、引き寄せ部材７２がスライドネジ７３を軸心として回転し、引き寄せ部材７２の先端部が可動下框３３の見込み方向に沿って第１可動ガラス板３１１のカバー部材３１８から離隔する方向に移動することになる。
【００４６】
（可動障子３０をスライド可能に支持するための開口枠１０の構成）
上述した可動障子３０をスライド可能に支持する開口枠１０には、図２及び図５に示すように、下枠部材１２にガイドレール１００及びスライド収容溝１１０が設けてある一方、上枠部材１１に上方ガイド溝１２０及び収容部１３０が設けてある。
【００４７】
ガイドレール１００は、下枠部材１２の上面に下枠部材１２の長手方向に沿って配設した長尺部材であり、その上面に下方ガイド面（ガイド面）１０１を有している。下方ガイド面１０１は、下枠部材１２の上面に沿った平面であり、戸車３６を載置することのできる幅に形成してある。下方ガイド面１０１の両側部分には、漸次上方に向けて緩やかに傾斜する傾斜面１０２が設けてある。これらの傾斜面１０２は、可動障子３０の戸車３６が下方ガイド面１０１と当接するように機能するものである。ガイドレール１００において室外側に位置する部分には、上述した引き寄せ部材７２の当接片７５が当接するための引き寄せ当接面１０３が構成してある。
【００４８】
スライド収容溝１１０は、下枠部材１２の上面においてガイドレール１００よりも室外側となる部位に形成した凹部であり、下枠部材１２の長手方向に沿って形成してある。このスライド収容溝１１０は、ガイドレール１００の下方ガイド面１０１に可動障子３０の戸車３６を載置させた場合に可動下框３３よりも下方に突出する第１可動ガラス板３１１の端部及び第２可動ガラス板３１２の端部と下枠部材１２との干渉を回避するためのもので、これら第１可動ガラス板３１１及び第２可動ガラス板３１２の見込み方向に沿った寸法よりも大きな幅を有するように構成してある。
【００４９】
上方ガイド溝１２０は、上枠部材１１の下面に上枠部材１１の長手方向に沿って形成した凹部であり、見付け方向に沿った一対の上方ガイド面１２１を有している。上方ガイド面１２１は、上述した上方ガイド部材６０のガイドアーム６１が突出姿勢となった場合にそれぞれの端部に配設したガイドローラ６２の周面が当接することのできる間隔を有するように構成してある。
【００５０】
収容部１３０は、上方ガイド溝１２０の天面に形成した凹部である。この収容部１３０は、上方ガイド部材６０のガイドアーム６１及びガイドローラ６２が退避姿勢となった場合にのみ、これらガイドアーム６１及びガイドローラ６２とともに、２つのスライドガイド６８及び規制アーム６６、操作アーム６７を収容することのできる大きさに形成したものである。
【００５１】
また、開口枠１０の戸先縦枠１４には、見込み面に戸先収容溝１４０が形成してある。戸先収容溝１４０は、戸先縦枠１４の長手方向に沿って形成した凹部であり、可動障子３０の戸先を収容することのできる幅に形成してある。戸先収容溝１４０において室外側に位置する側面は、固定障子２０の固定戸尻框２５において室内側に臨む見付け面と同一の平面上に位置している。
【００５２】
（可動障子３０を開口枠１０に建て込む際の操作）
上記のように構成した開口枠１０に対して可動障子３０を支持させるには、まず、操作アーム６７を戸先に向けてスライドさせるとともに、操作ハンドル５０を収容凹部３５ｃから突出させた状態に維持する。この状態においては、上方ガイド部材６０が退避姿勢に維持されるため、可動上框３２を上枠部材１１の上方ガイド溝１２０に収容させることができるとともに、上方ガイド部材６０を収容部１３０に収容することが可能となる。また、引き寄せ部材７２の当接片７５が第１可動ガラス板３１１のカバー部材３１８に当接した状態となるため、可動障子３０の第１可動ガラス板３１１及び第２可動ガラス板３１２を下枠部材１２のスライド収容溝１１０に容易に収容することが可能となる。
【００５３】
この状態から先に可動障子３０の可動上框３２を上枠部材１１の上方ガイド溝１２０の内部に配置し、退避姿勢の上方ガイド部材６０を収容部１３０に収容させる状態で可動障子３０を上方に移動させる。次いで、可動下框３２が下枠部材１２に近接するように可動障子３０を移動させ、第１可動ガラス板３１１の端部及び第２可動ガラス板３１２の端部をスライド収容溝１１０に対向させるとともに、可動下框３３に設けた戸車３６をガイドレール１００の下方ガイド面１０１に対向させ、可動障子３０を下方に移動させて戸車３６を下方ガイド面１０１に載置させる。最後に、戸先から突出した操作アーム６７を戸尻に向けてスライドさせ、操作アーム６７の基端部を可動戸先框３４の係止部材６９に係止させれば良い。
【００５４】
この状態においては、可動上框３２に設けた上方ガイド部材６０のガイドアーム６１が突出姿勢となるため、ガイドローラ６２がそれぞれ上枠部材１１に設けた上方ガイド溝１２０のガイド面に当接することにより、上枠部材１１に対して可動上框３２が長手方向に沿ってスライド可能に支持される。また、可動下框３３に設けた戸車３６が下枠部材１２に設けたガイドレール１００の下方ガイド面１０１に当接することにより、下枠部材１２に対して可動下框３３が長手方向に沿ってスライド可能に支持される。従って、開口枠１０に対して可動障子３０をスライドさせることで、図２及び図３に示すように、開口枠１０の内部開口１５を開閉することが可能となる。
【００５５】
開口枠１０に対して可動障子３０を閉じた場合には、図２に示すように、固定障子２０の固定戸尻框２５と可動障子３０の可動戸尻框３５とが見込み方向に沿って並設されることになる。このとき、この建具では、固定戸尻框２５に設けた固定側対向面２５ａと、可動戸尻框３５に設けた可動側対向面３５ａとが互いの間に隙間を確保した状態で互いに近接して対向配置されることになる。
【００５６】
図２及び図５からも明らかなように、上枠部材１１、下枠部材１２及び戸先縦枠１４において可動障子３０を閉じた際に第２可動ガラス板３１２の周縁部に対向する部分に可動タイト材１５０が設けてあるとともに、固定障子２０の固定戸尻框２５において可動障子３０を閉じた際に第２可動ガラス板３１２の周縁部に対向する部分に可動タイト材１５０が設けてある。これらの可動タイト材１５０は、上述したように操作ハンドル５０が収容凹部３５ｃから突出した状態にある場合、それぞれ第２可動ガラス板３１２の表面から離隔した状態に配置されている。
【００５７】
（固定戸尻框２５と可動戸尻框３５との間に設けた戸尻直交引き寄せ機構８０の構成）
図２、図３、図２１、図２２に示すように、固定戸尻框２５と可動戸尻框３５との間に設けた戸尻直交引き寄せ機構８０は、固定戸尻框２５に戸尻係合ピン８１を備える一方、可動戸尻框３５に引き寄せプレート（係合部）８２を備えている。戸尻係合ピン８１は、図３に示すように、円柱状を成す軸部８１ａの先端部に外径の大きな頭部８１ｂを有したもので、軸部８１ａを介して固定戸尻框２５の固定側対向面２５ａから突設してある。戸尻係合ピン８１の軸部８１ａには、外周を覆うようにカラー部材（基部）８３が配設してある。図２及び図３に示すように、戸尻係合ピン８１の頭部８１ｂは、軸部８１ａに対して室内側にオフセットして設けてあり、カラー部材８３の周面に対して室内側に位置する部分のみが径方向に突出している。図には明示していないが、戸尻係合ピン８１は、固定戸尻框２５の上方部及び下方部の２箇所に配設してある。図２に示すように、戸尻係合ピン８１の軸部８１ａは、可動障子３０を閉じた場合に固定側対向面２５ａに対向する可動戸尻框３５の可動側対向面３５ａとの間に確保される隙間よりも大きな長さを有するように形成してある。
【００５８】
引き寄せプレート８２は、図２、図３、図２１、図２２に示すように、可動戸尻框３５のプレート収容溝３５ｄから突出し、可動戸尻框３５の可動側対向面３５ａを覆うように配設した薄板状部材である。図には明示していないが、引き寄せプレート８２は、固定戸尻框２５の戸尻係合ピン８１に対応した上方部及び下方部の２箇所に配設してある。プレート収容溝３５ｄは、それぞれ可動戸尻框３５において固定戸尻框２５に対向する見付け面からスライド溝３５ｂに連通するように形成した開口である。それぞれの引き寄せプレート８２は、個々の基端部が戸尻スライド部材４０Ｄに連結してあり、戸尻スライド部材４０Ｄのスライドに連動することにより可動戸尻框３５に対して上下に移動する。
【００５９】
引き寄せプレート８２には、それぞれ一対のスライドローラ８４及び戸尻カム孔８５が設けてある。スライドローラ８４は、引き寄せプレート８２においてプレート収容溝３５ｄの内部に位置する部位の上下に配設したもので、可動側対向面３５ａに直交する軸心回りに回転することが可能である。これらのスライドローラ８４は、それぞれの周面がプレート収容溝３５ｄを覆うように設けたスライドプレート８６に当接することにより、引き寄せプレート８２及び戸尻スライド部材４０Ｄが可動戸尻框３５に対して室外側に移動するのを規制している。
【００６０】
戸尻カム孔８５は、図２１及び図２２に示すように、引き寄せプレート８２においてプレート収容溝３５ｄから突出した部分に形成した異形孔であり、上方に戸尻ピン挿通孔部８５ａを有し、かつ下方に戸尻ピン係合孔部８５ｂを有している。戸尻ピン挿通孔部８５ａは、固定戸尻框２５に設けた戸尻係合ピン８１の頭部８１ｂを挿通可能とする幅に形成した開口である。この戸尻ピン挿通孔部８５ａは、操作ハンドル５０が収容凹部３５ｃから突出することによって戸尻スライド部材４０Ｄが下方に移動した状態にある場合に固定戸尻框２５の戸尻係合ピン８１に対向する位置に形成してある。戸尻ピン係合孔部８５ｂは、戸尻係合ピン８１のカラー部材８３を挿通可能、かつ頭部８１ｂを挿通不可とする幅に形成した開口である。戸尻カム孔８５の室外側に位置する内壁面において戸尻ピン挿通孔部８５ａ及び戸尻ピン係合孔部８５ｂの間に位置する部分には、戸尻傾斜ガイド面（係合傾斜面）８５ｃが設けてある。戸尻傾斜ガイド面８５ｃは、戸尻ピン係合孔部８５ｂから戸尻ピン挿通孔部８５ａに向かうに従って漸次室外側となるように傾斜したものである。尚、可動戸尻框３５の可動対向面において戸尻係合ピン８１に対向する部位には、可動障子３０が閉じた場合に戸尻係合ピン８１の頭部８１ｂを収容するための戸尻凹部３５ｅが設けてある。
【００６１】
（戸先縦枠１４と可動戸先框３４との間に設けた戸先直交引き寄せ機構９０の構成）
図２、図３、図２３、図２４に示すように、戸先縦枠１４と可動戸先框３４との間に設けた戸先直交引き寄せ機構９０は、戸先縦枠１４の戸先収容溝１４０において戸先スライド部材４０Ｃに対向する部位に戸先係合ピン９１を備える一方、可動戸先框３４の戸先スライド部材４０Ｃに戸先カム孔９２を有している。戸先係合ピン９１は、戸尻係合ピン８１と同様、円柱状を成す軸部９１ａの外周部にカラー部材（基部）９３を備えるとともに、軸部９１ａの先端部において室内側にオフセットした位置に外径の大きな頭部９１ｂを有したもので、軸部９１ａを介して戸先収容溝１４０の上方部及び下方部からそれぞれ突設してある。図２に示すように、戸先係合ピン９１の軸部９１ａは、可動障子３０を閉じた場合に戸先収容溝１４０の見込み面と可動戸先框３４の戸先面との間に確保される隙間よりも大きな長さを有するように形成してある。
【００６２】
戸先カム孔９２は、図２３及び図２４に示すように、戸先スライド部材４０Ｃに形成した異形孔であり、下方に戸先ピン挿通孔部９２ａを有し、かつ上方に戸先ピン係合孔部９２ｂを有している。戸先ピン挿通孔部９２ａは、戸先縦枠１４に設けた戸先係合ピン９１の頭部９１ｂを挿通可能とする幅に形成した開口である。この戸先ピン挿通孔部９２ａは、操作ハンドル５０が収容凹部３５ｃから突出することによって戸先スライド部材４０Ｃが上方に移動した状態にある場合に戸先縦枠１４の戸先係合ピン９１に対向する位置に形成してある。戸先ピン係合孔部９２ｂは、戸先係合ピン９１のカラー部材９３を挿通可能、かつ頭部９１ｂを挿通不可とする幅に形成した開口である。戸先カム孔９２の室外側に位置する内壁面において戸先ピン挿通孔部９２ａ及び戸先ピン係合孔部９２ｂの間に位置する部分には、戸先傾斜ガイド面（係合傾斜面）９２ｃが設けてある。戸先傾斜ガイド面９２ｃは、戸先ピン係合孔部９２ｂから戸先ピン挿通孔部９２ａに向かうに従って漸次室外側となるように傾斜したものである。尚、可動戸尻框３５の戸先面において戸先係合ピン９１に対向する部位には、可動障子３０が閉じた場合に戸先係合ピン９１の頭部９１ｂを収容するための戸先凹部３４ｅが設けてある。また、戸先スライド部材４０Ｃにおいて戸先カム孔９２の上下となる部分には、それぞれ戸先スライド部材４０Ｃの長手方向に沿って長孔４５が形成してあるとともに、それぞれの長孔４５にガイドネジ４４が螺合してある。これらガイドネジ４４は、戸先スライド部材４０Ｃが可動戸先框３４の見込み方向に移動するのを防止するためのものである。
【００６３】
（操作ハンドル５０を操作した場合の動作について）
上述したように、操作ハンドル５０が収容凹部３５ｃから突出された状態にある場合には、図２及び図５に示すように、上枠部材１１、下枠部材１２及び戸先縦枠１４に設けた可動タイト材１５０と、固定障子２０の固定戸尻框２５に設けた可動タイト材１５０とが、いずれも可動障子３０の第２可動ガラス板３１２から離隔した状態にある。従って、この建具によれば、開口枠１０の内部開口１５を開閉すべく可動障子３０をスライドさせる際の操作力を低減することが可能となる。
【００６４】
一方、可動障子３０が閉じた状態で操作ハンドル５０を収容凹部３５ｃに収容させると、これに伴って戸尻スライド部材４０Ｄ、上方スライド部材４０Ａ、戸先スライド部材４０Ｃ及び下方スライド部材４０Ｂがそれぞれスライドし、可動障子３０の第２可動ガラス板３１２の四周にそれぞれ可動タイト材１５０が圧接されることになる。
【００６５】
すなわち、操作ハンドル５０が収容凹部３５ｃに収容される方向に操作されると、戸尻スライド部材４０Ｄが上方に向かってスライドするため、戸尻直交引き寄せ機構８０においては、図２１に示す状態から図２２に示す状態に移行し、戸尻傾斜ガイド面８５ｃに戸尻係合ピン８１のカラー部材８３が当接することにより、開口枠１０に対して可動戸尻框３５が室外側に移動することになる。この結果、図４に示すように、固定戸尻框２５に設けた可動タイト材１５０が第２可動ガラス板３１２の戸尻側に位置する周縁部に圧接された状態となる。
【００６６】
同様に、戸先直交引き寄せ機構９０においては、操作ハンドル５０が収容凹部３５ｃに収容される方向に操作されると、戸先スライド部材４０Ｃが下方に向かってスライドするため、図２３に示す状態から図２４に示す状態に移行し、戸先傾斜ガイド面９２ｃに戸先係合ピン９１のカラー部材９３が当接することにより、開口枠１０に対して可動戸先框３４が室外側に移動することになる。この結果、図４に示すように、戸先縦枠１４に設けた可動タイト材１５０が第２可動ガラス板３１２の戸先側に位置する周縁部に圧接された状態となる。
【００６７】
しかも、操作ハンドル５０が収容凹部３５ｃに収容された場合、戸尻直交引き寄せ機構８０においては、戸尻係合ピン８１の頭部８１ｂが戸尻ピン係合孔部８５ｂに位置し、かつ戸先直交引き寄せ機構９０においては、戸先係合ピン９１の頭部９１ｂが戸先ピン係合孔部９２ｂに位置することになる。従って、開口枠１０に対して可動障子３０を開き方向へスライドさせようとした場合にも、戸尻係合ピン８１の頭部８１ｂが引き寄せプレート８２に係合するとともに、戸先係合ピン９１の頭部９１ｂが戸先スライド部材４０Ｃの係合するため、可動障子３０のスライドを規制した施錠状態とすることができる。
【００６８】
一方、可動上框３２と上枠部材１１との間においては、操作ハンドル５０が収容凹部３５ｃに収容される方向に操作されると、上方スライド部材４０Ａが戸先に向かってスライドするため、図１５に示す状態から図１６に示す状態に移行し、可動上框３２に対して上方ガイド部材６０が室内側に向けて移動する。
【００６９】
ここで、可動上框３２の上方ガイド部材６０は、ガイドアーム６１の両端部がそれぞれガイドローラ６２を介して上方ガイド溝１２０の上方ガイド面１２１に当接した状態にあり、上枠部材１１に対して見込み方向に移動できる構成にない。従って、可動上框３２に対して上方ガイド部材６０が室内側に向けて移動すると、相対的に可動上框３２が上枠部材１１に対して室外側に移動することになる。この結果、図６に示すように、上枠部材１１に設けた可動タイト材１５０が第２可動ガラス板３１２の上方に位置する周縁部に圧接された状態となる。
【００７０】
さらに、可動下框３３と下枠部材１２との間においては、操作ハンドル５０が収容凹部３５ｃに収容される方向に操作されると、下方スライド部材４０Ｂが戸尻に向かってスライドするため、図２０の（ａ）に示す状態から図２０の（ｄ）に示す状態に移行し、引き寄せ部材７２の先端部が第１可動ガラス板３１１のカバー部材３１８から漸次離隔することになる。
【００７１】
ここで、引き寄せ部材７２の先端部に設けた当接片７５がガイドレール１００の引き寄せ当接面１０３に当接するまでの間においては、図２０の（ａ）から図２０の（ｂ）に示すように、スライドネジ７３を軸心として引き寄せ部材７２の先端部が室内側に移動することになる。この間、可動障子３０に外力が作用しないため、開口枠１０に対して可動障子３０が移動することはない。しかしながら、当接片７５がガイドレール１００の引き寄せ当接面１０３に当接した後においては、引き寄せ部材７２の室内側への回転が阻止されるため、さらに引き寄せ部材７２がスライドネジ７３を軸心として回転した場合には、引き寄せ当接面１０３と引き寄せ部材７２の当接片７５との接触点を軸心として可動下框３３が相対的に室外側に移動することになる。この結果、図６に示すように、下枠部材１２に設けた可動タイト材１５０が第２可動ガラス板３１２の下方に位置する周縁部に圧接された状態となる。
【００７２】
これらの結果、操作ハンドル５０を収容凹部３５ｃに収容する方向に操作すれば、可動障子３０の四周がいずれも開口枠１０及び固定障子２０に設けた可動タイト材１５０に圧接された状態となり、水密性や断熱性、遮音性を向上させることが可能となる。上述したように、可動タイト材１５０に対して可動障子３０が圧接された状態となるのは、操作ハンドル５０を収容凹部３５ｃに収容させる方向に操作した場合であり、可動障子３０のスライドを何ら伴うものではない。従って、可動タイト材１５０に摩耗が生じるおそれがない。
【００７３】
再び可動障子３０をスライドさせる場合には、操作ハンドル５０を収容凹部３５ｃから突出する方向に移動させれば、可動障子３０の可動框３２，３３，３４，３５がそれぞれ室内側に移動し、可動タイト材１５０が第２可動ガラス板３１２から離隔した状態となるとともに、戸尻係合ピン８１が引き寄せプレート８２に形成した戸尻カム孔８５の戸尻ピン挿通孔部８５ａに位置し、かつ戸先係合ピン９１が戸先スライド部材４０Ｃに形成した戸先カム孔９２の戸先ピン挿通孔部９２ａに位置するため、大きな操作力を加えることなく可動障子３０をスライドさせることができるようになる。
【００７４】
上述した操作の間、開口枠１０に対して可動障子３０を室外側に移動させる場合には、その反力がそれぞれのスライド部材４０や上方ガイド部材６０、戸車３６に加えられることになる。しかしながら、上述の建具によれば、上方スライド部材４０Ａ、下方スライド部材４０Ｂ及び戸先スライド部材４０Ｃの室外側に位置する部位にカバー部材３１８を設けるようにしている。このため、上方スライド部材４０Ａ、下方スライド部材４０Ｂ及び戸先スライド部材４０Ｃについては、カバー部材３１８によって室外側への移動が阻止されることになる。また、戸尻スライド部材４０Ｄには、戸尻スライド部材４０Ｄに連結した引き寄せプレート８２にスライドローラ８４を設けるとともに、これらのスライドローラ８４を可動戸尻框３５に設けたスライドプレート８６に当接させるようにしている、従って、戸尻スライド部材４０Ｄについては、これら引き寄せプレート８２、スライドローラ８４及びスライドプレート８６の協働によって室外側への移動が阻止される。これらの結果、可動障子３０を室外側へ移動させる際にも、スライド部材４０がスライド溝３２ｂ，３３ｂ，３４ｂ，３５ｂに圧接される等の事態を招来することはなく、大きな操作力を要することなく操作ハンドル５０を操作することが可能となる。
【００７５】
また、上方ガイド部材６０については、ガイドアーム６１の両端部にそれぞれガイドローラ６２を備え、かつこれら２つのガイドローラ６２を上枠部材１１に設けた上方ガイド溝１２０の上方ガイド面１２１にそれぞれ当接させるように構成している。従って、可動障子３０のスライドに支障を来すことなく上述の反力に対して抗することが可能である。さらに、戸車３６については、可動下框３３に直接支持させてあるとともに、ガイドレール１００として傾斜面１０２を有したものを適用しているため、戸車３６及び可動障子３０が傾斜面１０２に沿ってわずかに上方に移動しながら室外側に移動することで上述の反力に抗する必要がない。従って、戸車３６の車軸に大きな反力が加えられる事態を招来することがなく、可動障子３０の円滑なスライドを可能とする。
【００７６】
さらに、上述した建具においては、固定障子２０に断熱空間２１５，２１７を２層有した固定複層面材２１を適用しているとともに、可動障子３０に断熱空間３１５，３１７を２層有した可動複層面材３１を適用している。しかも、それぞれの障子２０，３０の戸先框２４，３４、上框２２，３２、下框２３，３３においては、図４及び図６に示すように、室外側に位置する見付け面が第１ガラス板２１１，３１１によって覆われた状態にあるため、第２ガラス板２１２，３１２との間の断熱空間２１５，３１５が位置することになる。従って、戸先框２４，３４、上框２２，３２、下框２３，３３については、室外と室内との間のヒートブリッジとなることがなく、断熱性の点できわめて有利となる。さらに、室内側に位置する第３ガラス板２１３，３１３については、縦横寸法が第１ガラス板２１１，３１１よりも小さくなるように構成しているため、室外側の見付け面を第１ガラス板２１１，３１１及び第２ガラス板２１２，３１２によって覆った場合にも、見込み方向の寸法が大きく増大する事態を防止することができる。尚、固定戸尻框２５の外周側端部には、固定戸尻框２５の端面及び３枚の固定ガラス板２１１，２１２，２１３の端面を覆うように召合わせカバー部材２２１を設けているが、室内側に可動障子３０の可動戸尻框３５が配設される構成であるため、召合わせカバー部材２２１がヒートブリッジとなって断熱性が損なわれるおそれはない。また、可動戸尻框３５として３枚の可動ガラス板３１１，３１２，３１３の端面を覆う部分を有したものを適用しているが、室外側に固定障子２０の固定戸尻框２５が配設される構成であるため、可動戸尻框３５がヒートブリッジとなって断熱性が損なわれるおそれはない。
【００７７】
尚、上述した実施の形態では、片引き窓を例示しているが、開口枠に対して障子がスライドするものであれば、例えば引き違い窓に適用することも可能である。また、面材として複層ガラスを適用しているが、必ずしも面材が複層である必要はない。
【００７８】
また、上述した実施の形態では、可動障子３０の可動戸尻框３５と固定縦枠１３との間に戸尻直交引き寄せ機構８０を設けるとともに、可動戸先框３４と戸先縦枠１４との間に戸先直交引き寄せ機構９０を設けているが、本発明は必ずしも２つの直交引き寄せ機構を設ける必要はなく、いずれか一方のみ設ければ良い。
【符号の説明】
【００７９】
１０  開口枠、１１  上枠部材、１３  固定縦枠、１４  戸先縦枠、３０  可動障子、３２  可動上框、３３  可動下框、３４  可動戸先框、３５  可動戸尻框、３６  戸車、４０Ａ  上方スライド部材、４０Ｂ  下方スライド部材、４０Ｃ  戸先スライド部材、４０Ｄ  戸尻スライド部材、４３  上部カム孔、５０  操作ハンドル、６０  上方ガイド部材、６３  支持ピン、７１  ベースブロック、７２  引き寄せ部材、７４  下部カム孔、７５  当接片、７６  カムピン、８０  戸尻直交引き寄せ機構、８１  戸尻係合ピン、８１ｂ  頭部、８２  引き寄せプレート、８３  カラー部材、８５ｃ  戸尻傾斜ガイド面、９０  戸先直交引き寄せ機構、９１  戸先係合ピン、９１ｂ  頭部、９２ｃ  戸先傾斜ガイド面、９３  カラー部材、１０１  下方ガイド面、１２０  上方ガイド溝、１２１  上方ガイド面
【図１】
2015178699.tif 000003
【図２】
2015178699.tif 000004
【図３】
2015178699.tif 000005
【図４】
2015178699.tif 000006
【図５】
2015178699.tif 000007
【図６】
2015178699.tif 000008
【図７】
2015178699.tif 000009
【図８】
2015178699.tif 000010
【図９】
2015178699.tif 000011
【図１０】
2015178699.tif 000012
【図１１】
2015178699.tif 000013
【図１２】
2015178699.tif 000014
【図１３】
2015178699.tif 000015
【図１４】
2015178699.tif 000016
【図１５】
2015178699.tif 000017
【図１６】
2015178699.tif 000018
【図１７】
2015178699.tif 000019
【図１８】
2015178699.tif 000020
【図１９】
2015178699.tif 000021
【図２０】
2015178699.tif 000022
【図２１】
2015178699.tif 000023
【図２２】
2015178699.tif 000024
【図２３】
2015178699.tif 000025
【図２４】
2015178699.tif 000026